(57)【要約】【課題】給紙カセットの下面と本体部が載置される載置面との隙間を小さくしても給紙カセットのスムーズな出し入れが行なえる給紙装置を提供する。【解決手段】給紙カセット２０と、給紙カセット２０を収納し且つ引出状に出し入れ可能とするカセット収納部４０を有する本体部１１と、を備える給紙装置１０において、給紙カセット２０の前面カバー３１の下端面３１ａに、本体部１１を載置する載置面Ａ上を転動して給紙カセット２０の移動を案内するキャスター５０を取り付けた。この給紙装置１０では、給紙カセット２０をカセット収納部４０に完全に収納した収納位置で、キャスター５０が載置面Ａから上方に離間して配置され、且つ、給紙カセット２０をカセット収納部４０から所定量引き出した引出位置で、給紙カセット２０の手前側が下降して、キャスター５０が載置面Ａに着地するようになっている。【選択図】図６
2008189444.tif 000002
【特許請求の範囲】
【請求項１】
用紙を装填する給紙カセットと、給紙カセットを収納し且つ引出状に出し入れ可能とするカセット収納部を有する本体部と、を備える給紙装置において、
給紙カセットの下面に、給紙カセットをカセット収納部に出し入れする際に、前記本体部が載置される載置面上を転動して給紙カセットの移動を案内するキャスターを取り付けたことを特徴とする給紙装置。
【請求項２】
請求項１に記載の給紙装置において、
前記キャスターを、前記給紙カセットの下面の引出方向の手前側の位置に取り付けたことを特徴とする給紙装置。
【請求項３】
請求項２に記載の給紙装置において、
前記給紙カセットを前記カセット収納部に完全に収納した収納位置で、前記キャスターが前記載置面から上方に離間して配置され、且つ、給紙カセットをカセット収納部から所定量引き出した引出位置で、給紙カセットの手前側が下降して、キャスターが載置面に着地することを特徴とする給紙装置。
【請求項４】
用紙に画像を記録する記録装置と、記録装置へ用紙を供給する給紙装置とを備える画像形成装置において、
前記給紙装置として、請求項１乃至３のいずれか１項に記載の給紙装置を備えることを特徴とする画像形成装置。
【発明の詳細な説明】
【技術分野】
【０００１】
本発明は、カセット収納部に引出状に収納される給紙カセットを備える給紙装置、及びこの給紙装置を備える画像形成装置に関する。
【背景技術】
【０００２】
ファクシミリやコピー機などの画像形成装置は、特許文献１に示すように、画像を記録する記録装置へ用紙を供給する給紙装置を備えている。給紙装置は、画像形成装置の本体部の下段側に設けた装置の前面に向かって開口するカセット収納部と、カセット収納部に収納されて引出状に出し入れ可能な給紙カセットを備えている。この給紙装置では、用紙の補給の際に、カセット収納部に収納された給紙カセットを手前側に引き出して、その内部に用紙を装填するようになっている。
【特許文献１】特開平７−２０６１８２号公報
【発明の開示】
【発明が解決しようとする課題】
【０００３】
画像形成装置は、上記のような給紙装置を一段又は複数段備えているが、最下段の給紙装置では、給紙カセットをスムーズに出し入れできるように、カセット収納部を本体部の下面よりも若干高い位置に設けて、引き出した給紙カセットの下面と画像形成装置が載置される載置面との間に所定の隙間が出来るようにしている。ところが、画像形成装置の高さ寸法に制限がある場合などは、最下段の給紙装置のカセット収納部をより低い位置に設けなければならない。その場合、給紙カセットの下面と載置面との隙間が小さくなることで、引き出した給紙カセットの下面が載置面に接触して載置面を傷付けたり、給紙カセットの出し入れがスムーズに行なえなくなったりするという問題があった。
【０００４】
本発明は上述の点に鑑みてなされたものでありその目的は、給紙カセットの下面と本体部が載置される載置面との隙間を小さくしても給紙カセットのスムーズな出し入れが行なえる給紙装置、及びこの給紙装置を備えた画像形成装置を提供することにある。
【課題を解決するための手段】
【０００５】
上記課題を解決するため本願の請求項１に記載の発明は、用紙を装填する給紙カセットと、給紙カセットを収納し且つ引出状に出し入れ可能とするカセット収納部を有する本体部と、を備える給紙装置において、給紙カセットの下面に、給紙カセットをカセット収納部に出し入れする際に、前記本体部が載置される載置面上を転動して給紙カセットの移動を案内するキャスターを取り付けたことを特徴とする。
【０００６】
本願の請求項２に記載の発明は、請求項１に記載の給紙装置において、前記キャスターを、前記給紙カセットの下面の引出方向の手前側の位置に取り付けたことを特徴とする。
【０００７】
本願の請求項３に記載の発明は、請求項２に記載の給紙装置において、前記給紙カセットをカセット収納部に完全に収納した収納位置で、前記キャスターが載置面から上方に離間して配置され、且つ、給紙カセットをカセット収納部から所定量引き出した引出位置で、給紙カセットの手前側が下降して、キャスターが載置面に着地することを特徴とする。
【０００８】
本願の請求項４に記載の発明は、用紙に画像を記録する記録装置と、記録装置へ用紙を供給する給紙装置とを備える画像形成装置において、前記給紙装置として、請求項１乃至３のいずれか１項に記載の給紙装置を備えることを特徴とする。
【発明の効果】
【０００９】
本願の請求項１に記載の発明によれば、給紙カセットの下面に、給紙カセットをカセット収納部に出し入れする際に、本体部が載置される載置面上を転動して給紙カセットの移動を案内するキャスターを取り付けたので、給紙カセットの下面と載置面との隙間を小さくしても、給紙カセットのスムーズな出し入れが行なえる。したがって、この隙間を小さくすることで、給紙装置や給紙装置を備える画像形成装置の高さ寸法の小型化を図ることができる。また、給紙カセットの移動をキャスターで案内するので、カセット収納部内に給紙カセットを移動させる別の移動機構を設ける場合でも、この移動機構の構成を簡略化することが可能となり、給紙装置の構造を従来よりも簡単にできる。
【００１０】
本願の請求項２に記載の発明によれば、キャスターを、給紙カセットの下面の引出方向の手前側の位置に取り付けたので、給紙カセットの出し入れがよりスムーズに行えるようになる。また、給紙カセットを引き出した際に、このキャスターとカセット収納部とで給紙カセットの収納方向の前後の位置を支持できるので、給紙カセットが安定した状態で用紙の装填ができるようになる。
【００１１】
本願の請求項３に記載の発明によれば、給紙カセットをカセット収納部に完全に収納した収納位置で、キャスターが載置面から上方に離間して配置され、且つ、給紙カセットを所定量引き出した引出位置で、給紙カセットの手前側が下降して、キャスターが載置面に着地するため、給紙カセットを出し入れする動作に伴ってキャスターが載置面に対して着地・離間するようになるので、給紙カセットの出し入れがさらに行い易くなる。また、給紙カセットが収納位置にあるときは、キャスターが載置面に当接しないので、給紙カセットが収納位置から不用意に移動することを防止できる。
【００１２】
本願の請求項４に記載の発明によれば、画像形成装置に、請求項１乃至３のいずれか１項に記載の給紙装置を備えるので、画像形成装置の高さ寸法の小型化を図っても、給紙カセットのスムーズな出し入れを実現することが可能となる。
【発明を実施するための最良の形態】
【００１３】
以下、本発明の実施形態を図面に基づいて詳細に説明する。図１は、本発明の一実施形態にかかる給紙装置を備えた画像形成装置の外観構成を示す斜視図である。まず、同図を用いて画像形成装置の概略全体構成について説明する。本発明を適用する画像形成装置としては、給紙装置を備えた画像形成装置であれば、コピー機やファクシミリ装置やプリンタあるいはこれらの機能を兼ね備えたいわゆる複合機のうちのいずれであっても良い。
【００１４】
同図に示す画像形成装置１は、上段側に配置された読取部２と、下段側に配置された記録部３とを備えている。読取部２は、原稿の画像を走査して読み取る画像読取装置４と、画像読取装置４の前面に取り付けられた操作パネル５と、画像読取装置４の上部にその一辺が図示しないヒンジ機構で開閉可能に取り付けられた原稿押えカバー６を備えている。原稿押えカバー６の一端には、画像読取装置４に原稿を搬送する自動原稿搬送装置（ＡＤＦ）７が設置されている。ＡＤＦ７は、原稿供給トレイ８に載置された複数枚の原稿を順に画像読取装置４に搬送し、画像読取装置４で原稿の画像を読み取った後、原稿排出トレイ９へ原稿を排出する。一方、記録部３には、用紙に画像を記録する記録装置１２と、記録装置１２に用紙を供給する給紙装置１０とが設けられている。給紙装置１０は、用紙を装填する給紙カセット２０と、給紙カセット２０を収納するカセット収納部４０を有する本体部１１とを備えている。本体部１１は、画像形成装置１の本体ケーシング１３の下段側に一体に設けられている。カセット収納部４０は、本体部１１の前面（画像形成装置１の前面）に向かって開口する凹部である。なお、以下の説明では、給紙カセット２０をカセット収納部４０に収納する方向を収納方向といい、給紙カセット２０内で用紙が給送される方向（図２参照）を給紙方向という。
【００１５】
図２は、カセット収納部４０に収納した給紙カセット２０を収納方向の手前側（以下、単に「手前側」という）から見た概略側断面図である。また、図３は、給紙カセット２０を示す図で、同図（ａ）は平面図、同図（ｂ）は給紙方向の前方から見た側面図、同図（ｃ）は収納方向の手前側の一部の下面図である。また、図４は、カセット収納部４０を示す図で、給紙方向の前方から見た側断面図である。図５は、カセット収納部４０に収納した給紙カセット２０の側面の一部を示す部分拡大図である。これらの図に示すように、給紙カセット２０は、用紙Ｗを装填する用紙装填部３０と、用紙装填部３０の手前側の側面に取り付けた前面カバー３１とを備えている。用紙装填部３０は、四方が側壁３０ａで囲まれて上部が開放された略矩形の箱型に形成されている。前面カバー３１は、用紙装填部３０の手前側の側面よりも若干大きな寸法である略長方形の平板状に形成されている。前面カバー３１の下端面３１ａは、用紙装填部３０の下面３０ｂよりも若干下方に突出している。この給紙カセット２０は、用紙装填部３０がカセット収納部４０に収納されるようになっている。
【００１６】
そして、給紙カセット２０の前面カバー３１の下端面３１ａに、キャスター５０が取り付けられている。キャスター５０は、給紙カセット２０の幅方向（給紙方向）の中央位置に取り付けられていて、前面カバー３１の下端面３１ａに固定した一対の支持フレーム５１と、支持フレーム５１間に回転自在に軸支された車輪５２とを備えて構成されている。車輪５２は、少なくともその接地面（転動面）５２ａが合成樹脂製又はゴム製の回転体で、その回転軸の軸方向が収納方向に対して直交する方向に取り付けられていて、収納方向に沿って転動するようになっている。
【００１７】
一方、本体部１１のカセット収納部４０は、図４に示すように、本体部１１の手前側（画像形成装置１の前面側）に開口する開口部４０ａを有し、給紙カセット２０の用紙装填部３０の断面よりも若干大きな矩形状に形成された凹部である。また、本体部１１の下面１１ａは、画像形成装置１が載置される載置面Ａ上に載置されるようになっている。そして、カセット収納部４０の開口部４０ａは、本体部１１の下面１１ａよりも若干上側の位置に設けられており、図５に示すように、カセット収納部４０に給紙カセット２０を収納した際に、前面カバー３１の下端面３１ａと載置面Ａとの間に所定寸法の隙間ができ、この隙間にキャスター５０が配置されるようになっている。
【００１８】
また、図２及び図３に示すように、給紙カセット２０の用紙装填部３０の収納方向に対する両側壁３０ａの外面には、一対のガイドレール３２が形成されている。ガイドレール３２は、収納方向に沿って直線状に延設された断面が略矩形状の突起であり、図３（ｂ）に示すように、ガイドレール３２の下面には、収納方向に沿う平面状のガイド面３３が設けられている。このガイド面３３には、図示は省略するが、収納方向に沿って帯状の摺動テープを貼付することができる。この摺動テープは、下記するカセット収納部４０のガイド面４２に対する摺動性が良好なテープ材で、一例として、超高分子量ポリエチレン製のテープを用いることができる。また、ポリエチレン系の素材で構成されたもの以外にも、フッ素樹脂系の素材等で構成されたものでも良い。また、ガイド面３３の手前側の端部の近傍には、小突起状の係合部３３ａが形成されている。係合部３３ａは、給紙カセット２０が下記する収納位置に収納される際に、下記するカセット収納部４０のガイド面４２に設けた被係合部４２ａに係合して給紙カセット２０の移動を係止するものである。また、ガイドレール３２の奥側の端部の上面側には、小突起状の係止部３６が形成されており、下面側には、ガイド面３３と連続する傾斜面３７が設けられている。傾斜面３７は、収納方向の手前側から奥側に向かって次第に上昇する傾斜面状に形成されている。
【００１９】
そして、図４に示すように、カセット収納部４０内の収納方向に対する両内側面には、収納方向に沿う段部４１が設けられており、段部４１の上面が平面状のガイド面４２になっている。ガイド面４２の手前側の端部４２ｂの近傍には、上記の係合部３３ａを係合させる凹部状の被係合部４２ａが形成されている。また、ガイド面４２の上方には、収納方向に沿う棒状の案内バー４４が取り付けられている。案内バー４４は、ガイド面４２との間に挿入される給紙カセット２０のガイドレール３２を収納方向に沿って案内するもので、収納方向の手間側の端部４４ａがカセット収納部４０内に支持されていて、その途中には、下方に向かって突出する小突起状の係止突起４４ｂが形成されている。案内バー４４は、端部４４ａを支点に上下方向に若干移動するように取り付けられている。上記の給紙カセット２０のガイドレール３２とカセット収納部４０の段部４１及び案内バー４４とで、給紙カセット２０の出し入れの際に給紙カセット２０をスライド移動させる移動機構３５が構成されている。
【００２０】
次に、給紙カセット２０内の用紙を給送する機構について説明する。図２に示すように、用紙装填部３０の内部には、回動支軸２１を支点として上下に回動可能に設置されたフラッパー２２と、フラッパー２２の回動端を上方に付勢するコイルスプリング２３が設置されている。また、フラッパー２２の給紙方向の後端には、フラッパー２２上に載置される用紙Ｗの後端が当接するエンドガイド２４が設置されている。
【００２１】
また、図３（ａ）に示すように、フラッパー２２の給紙方向の前端の上方には、その軸方向が収納方向に配置されたシャフト２５が架設されており、シャフト２５の中間部に給紙ローラ２６が取り付けられている。シャフト２５の両端部は、給紙カセット２０の側壁３０ａに軸支されている。また、詳細な図示は省略するが、給紙カセット２０をカセット収納部４０に完全に収納した際に、シャフト２５の一端にカセット収納部４０側に設けた図示しない駆動伝達機構が係合し、図示しないモータ等の駆動力源の動力がシャフト２５に伝達されて、給紙ローラ２６が回転するようになっている。
【００２２】
また、図２に示すように、フラッパー２２の給紙方向の前端の前方には、分離パッド支持部材２７が設置され、分離パッド支持部材２７の上面には、分離パッド２７ａが取り付けられている。分離パッド支持部材２７は、給紙カセット２０の底部との間に介在するコイルスプリング２７ｂで上方に付勢されていて、分離パッド２７ａが給紙ローラ２６の下面に圧接されている。これらによって、給紙ローラ２６がフラッパー２２上に載置された用紙Ｗの給紙方向の前端の上面に圧接されると共に、分離パッド２７ａにも圧接される。これらフラッパー２２と給紙ローラ２６及び分離パッド２７ａとで、給紙カセット２０内の用紙Ｗを一枚ずつ分離して給送する用紙分離給送機構２９が構成されている。
【００２３】
ここで、給紙カセット２０をカセット収納部４０に収納した状態を説明する。図５に示すように、給紙カセット２０をカセット収納部４０の最奥部まで完全に収納した収納位置で、給紙カセット２０の用紙装填部３０がカセット収納部４０内に配置され、且つ、前面カバー３１がカセット収納部４０の開口部４０ａを塞いだ状態になり、前面カバー３１が本体部１１の前面側の一部を構成する（図１参照）。この収納位置で、給紙カセット２０のガイド面３３の係合部３３ａが、カセット収納部４０のガイド面４２の被係合部４２ａに係合することで、給紙カセット２０が係止される。またこの収納位置で、前面カバー３１の下端面３１ａが載置面Ａから若干上方に離間した位置にあり、下端面３１ａと載置面Ａの隙間に配置されたキャスター５０の車輪５２の接地面（下端）５２ａが、載置面Ａから上方に僅かに離間している。
【００２４】
次に、給紙カセット２０を引き出して用紙を補給する際の動作を説明する。図６及び図７は、この動作を説明するための図である。まず、収納位置にある給紙カセット２０を手前側に引き出すと、図６（ａ）に示すように、係合部３３ａが被係合部４２ａから脱出してこれらによる係止が解除され、その後、カセット収納部４０の移動機構３５によって給紙カセット２０が手前側にスライド移動し、給紙カセット２０が引き出されていく。なおこのとき、ガイド面３３に摺動テープが貼付されていることで、ガイド面３３がガイド面４２に対して滑らかに摺動するので、給紙カセット２０がスムーズに引き出されるようになる。そして、給紙カセット２０が引き出される当初は、キャスター５０の接地面５２ａが載置面Ａから離間しているが、給紙カセット２０を所定量引き出した引出位置で、同図（ｂ）に示すように、給紙カセット２０は、前後方向の自重バランスによって、ガイド面４２の端部４２ｂを支点として、手前側が下降した状態になり、給紙カセット２０は手前側を下方に向けて傾斜する。この引出位置で、前面カバー３１の下端面３１ａに取り付けたキャスター５０の接地面５２ａが載置面Ａに着地する。その状態で給紙カセット２０をさらに引き出すと、キャスター５０が載置面Ａを転動することで給紙カセット２０の移動が案内され、給紙カセット２０がスムーズに引き出される。なお、給紙カセット２０の手前側が下降した状態においても、ガイド面３３に貼付された摺動テープがガイド面４２の端部（角部）４２ｂに対して滑らかに摺動するので、給紙カセット２０がスムーズに引き出されるようになる。
【００２５】
給紙カセット２０をさらに引き出すと、図７（ａ）に示すように、ガイドレール３２の係止部３６が案内バー４４の係止突起４４ｂで係止され、給紙カセット２０がその位置で停止する。これにより、給紙カセット２０を引き出す際に、給紙カセット２０が不意にカセット収納部４０から抜け落ちることを防止できる。この位置で用紙装填部３０内のフラッパー２２上に用紙を装填する。なお、給紙カセット２０をカセット収納部４０から完全に抜き取るには、同図（ｂ）に示すように、給紙カセット２０の手前側を上方に持ち上げることで係止部３６を係止突起４４ｂの下側に逃がしながら手前側に引き出せばよい。その際、ガイドレール３２の傾斜面３７によって、ガイドレール３２の後端部をガイド面４２に接触させずに給紙カセット２０を抜き取ることができる。
【００２６】
用紙補給時には、給紙カセット２０がカセット収納部４０から突出した状態で、給紙カセット２０の上方から用紙装填部３０に用紙を補給することになるが、給紙カセット２０は、その手前側がキャスター５０によって支持されているので、ガイドレール３２や案内バー４４に過大な力が作用することを防止できる。一方、用紙を補給した給紙カセット２０をカセット収納部４０に戻す際には、給紙カセット２０が上記の引出位置に戻されるまでの間は、キャスター５０の接地面５２ａが載置面Ａ上を転動して、キャスター５０とカセット収納部４０内の移動機構３５の両方で給紙カセット２０の移動が案内される。給紙カセット２０が引出位置を越えてさらに押し込まれると、給紙カセット２０の傾斜状態が元に戻ることで、キャスター５０の接地面５２ａが載置面Ａから離間する。それ以降は、移動機構３５のみによって給紙カセット２０がスライド移動して、収納位置に収納される。
【００２７】
以上説明したように本実施形態の給紙装置１０では、給紙カセット２０の前面カバー３１の下端面３１ａに、給紙カセット２０をカセット収納部４０に出し入れする際に載置面Ａ上を転動して給紙カセット２０の移動を案内するキャスター５０を取り付けたので、前面カバー３１の下端面３１ａと載置面Ａの隙間を小さくしても、給紙カセット２０のスムーズな出し入れが行なえるようになる。したがって、この隙間を小さくすることで、給紙装置１０や画像形成装置１の高さ寸法の小型化を図ることができる。また、給紙カセット２０の出し入れの際の移動をキャスター５０で案内するので、カセット収納部４０内の移動機構３５は、その構成を従来よりも簡素化することが可能となり、給紙装置１０や画像形成装置１の構造が従来よりも簡単になる。
【００２８】
また、本実施形態の給紙装置１０では、キャスター５０を、給紙カセット２０の引出方向の手前側の下面である前面カバー３１の下端面３１ａに取り付けたので、給紙カセット２０の出し入れがよりスムーズに行えるようになる。また、給紙カセット２０を引き出した際に、キャスター５０と移動機構３５とによって給紙カセット２０の収納方向の前後位置をそれぞれ支持できる。したがって、用紙を補給する際に給紙カセット２０が安定した状態になるので、給紙カセット２０を大容量の給紙カセットにすることが可能となる。また、一度に大量の用紙を補給する場合でも、給紙カセット２０を手で支えたりする必要がないので、用紙の装填が容易に行なえるようになる。
【００２９】
また、本実施形態の給紙装置１０では、給紙カセット２０をカセット収納部４０に完全に収納した収納位置で、キャスター５０が載置面Ａから上方に離間して配置され、且つ、給紙カセット２０を所定量引き出した引出位置で、給紙カセット２０の手前側が下降して、キャスター５０が載置面Ａに着地する。したがって、給紙カセット２０を出し入れする動作に伴ってキャスター５０が載置面Ａに対して着地・離間するので、給紙カセット２０の出し入れがさらに行い易くなる。また、給紙カセット２０が収納位置にあるときは、キャスター５０が載置面Ａに当接しないので、収納位置にある給紙カセット２０が不用意に移動することを防止できる。
【００３０】
以上本発明の実施形態を説明したが、本発明は上記実施形態に限定されるものではなく、特許請求の範囲、及び明細書、図面に記載された技術的思想の範囲内において種々の変形が可能である。なお、直接明細書及び図面に記載のない何れの形状・構造・材質であっても、本願発明の作用・効果を奏する以上、本願発明の技術的思想の範囲内である。例えば、上記実施形態の画像形成装置１は、給紙装置１０を一段のみ備えているが、これ以外にも、画像形成装置１の本体ケーシング１３内に複数段の給紙装置１０を積載して設けることも可能である。その場合は、複数段の給紙装置１０のうちの最下段の給紙装置（載置面Ａ上に載置される給紙装置）１０の給紙カセット２０に、キャスター５０を取り付けるようにする。
【００３１】
また、上記実施形態では、給紙カセット２０の下面の手前側の中央位置に一個のキャスター５０を取り付ける場合を説明したが、本発明の給紙装置が備えるキャスターの取付位置や取付個数は、上記実施形態に示すものには限定されず、給紙カセットの下面であれば上記以外の位置に取り付けても良いし、複数個を取り付けることも可能である。また、上記実施形態のカセット収納部４０に設置した移動機構３５の構成は一例であり、カセット収納部４０に設置する移動機構は、他の構成としてもよい。さらに、給紙カセット２０が備える用紙分離給送機構２９の構成も一例であり、給紙カセット２０内の用紙を給送する機構としては、上記実施形態に示す以外の機構を採用することも可能である。
【００３２】
また、上記実施形態では、給紙カセット２０は、上記の引出位置でその前後方向の自重バランスによって手前側が下降する場合を説明したが、これ以外にも、給紙カセット２０の重量配分や給紙カセット２０内のフラッパー２２の配置等を調節することで、上記の引出位置で用紙装填部３０内に用紙を装填した場合に、給紙カセット２０の手前側が下降するように構成することも可能である。
【図面の簡単な説明】
【００３３】
【図１】本発明の一実施形態にかかる給紙装置を備えた画像形成装置の外観構成を示す斜視図である。
【図２】カセット収納部に収納された給紙カセットの構成を示す側断面図である。
【図３】給紙カセットの構成を示す図で、同図（ａ）は平面図、同図（ｂ）は側面図、同図（ｃ）は収納方向の手前側の一部の下面図である。
【図４】カセット収納部の構成を示す側断面図である。
【図５】カセット収納部と給紙カセットの側面の一部を示す部分拡大図である。
【図６】給紙カセットを引き出す際の動作を説明するための図である。
【図７】給紙カセットを引き出す際の動作を説明するための図である。
【符号の説明】
【００３４】
１      画像形成装置
２      読取部
３      記録部
４      画像読取装置
５      操作パネル
６      原稿押えカバー
７      自動原稿搬送装置（ＡＤＦ）
１０    給紙装置
１１    本体部
１１ａ  下面
１２    記録装置
１３    本体ケーシング
２０    給紙カセット
２９    用紙分離給送機構
３０    用紙装填部
３１    前面カバー
３１ａ  下端面
３５    移動機構
４０    カセット収納部
４０ａ  開口部
５０    キャスター
５１    支持フレーム
５２    車輪
５２ａ  接地面
Ａ      載置面
【図１】
2008189444.tif 000003
【図２】
2008189444.tif 000004
【図３】
2008189444.tif 000005
【図４】
2008189444.tif 000006
【図５】
2008189444.tif 000007
【図６】
2008189444.tif 000008
【図７】
2008189444.tif 000009